(57)【要約】【課題】携帯電話の無線を用いたセキュリティ機能では、置き忘れや盗難などへの対応しかできない。【解決手段】通信先ＩＤ記憶部１５に記憶されたＩＤ情報を用いて複数のキー装置と無線信号を用いてそれぞれ認証通信を行い、認証通信における電界強度が所定値以下の場合、もしくは、通信先記憶部に記憶されたＩＤ情報を持つすべてのキー装置と所定時間内に認証通信ができなかった場合に、キー装置を持つ者が離脱したと判断する離脱検出用認証通信部１７を備える。これにより、携帯電話の置き忘れや盗難など、携帯電話が一人のユーザから離れたときの使用制限だけでなく、複数のユーザの中から、少なくともひとり以上が離れたことを検出できる。【選択図】図１
2008193475.tif 000002
【特許請求の範囲】
【請求項１】
複数のキー装置のＩＤ情報を記憶する通信先ＩＤ記憶部と、
前記通信先ＩＤ記憶部に記憶されたＩＤ情報を用いて複数の前記キー装置と無線信号を用いてそれぞれ認証通信を行い、前記認証通信における電界強度が所定値以下の場合、もしくは、前記通信先記憶部に記憶されたＩＤ情報を持つすべてのキー装置と所定時間内に認証通信が成功しなかった場合に、前記キー装置を持つ者が離脱したと判断する離脱検出用認証通信部と、
前記離脱検出用認証通信部が離脱の判断をしたときに通知を行うユーザインタフェース部と、を備えた情報端末。
【請求項２】
前記情報端末は、２次元コード情報を読み取るカメラ部と、
前記カメラ部で読み取った２次元コード情報をエンコードして文字列を取得し、前記文字列を前記キー装置のＩＤ情報として前記通信先ＩＤ記憶部に記憶させる２次元コードデコード部と、を備えた請求項１記載の情報端末。
【請求項３】
前記情報端末は、通信回線を介して所定の機器に接続し、その機器にあらかじめ登録されているキー装置のＩＤ情報をダウンロードして、前記通信先ＩＤ記憶部に記憶させる通信回線通信部を備えた請求項１に記載の情報端末。
【請求項４】
前記情報端末は、前記通信先ＩＤ記憶部に記憶されているＩＤ情報の個数に応じて前記認証通信の通信間隔を変更し、その通信間隔を前記キー装置それぞれに送信する通信設定変更部を備えた請求項１〜３のいずれか一項に記載の情報端末。
【請求項５】
複数のキー装置のＩＤ情報を記憶する通信先ＩＤ記憶部を備え、
前記通信先ＩＤ記憶部に記憶されているＩＤ情報の個数に応じて認証通信の通信間隔を変更し、その通信間隔を前記キー装置それぞれに送信するステップと、
前記通信先ＩＤ記憶部に記憶されたＩＤ情報を用いて複数の前記キー装置と無線信号を用いてそれぞれ認証通信を行い、前記認証通信における電界強度が所定値以下の場合、もしくは、前記通信先記憶部に記憶されたＩＤ情報を持つすべてのキー装置と所定時間内に認証通信が成功しなかった場合に、前記キー装置を持つ者が離脱したと判断するステップと、
離脱の判断をしたときに通知を行うステップと、を備えた離脱検出方法。
【請求項６】
請求項１〜４に記載の情報端末の少なくとも一部をコンピュータに実現させるためのプログラム。
【発明の詳細な説明】
【技術分野】
【０００１】
本発明は、携帯電話などの情報端末を利用して、ユーザの集団からの離脱を検出する情報端末、離脱検出方法およびプログラムに関するものである。
【背景技術】
【０００２】
携帯電話などの情報端末のセキュリティレベルを向上させるため、ユーザが携帯電話から離れたときに、携帯電話の機能制限を行う技術がある。この技術の従来構成としては、特許文献１のような構成が一般的である。特許文献１の概略構成を図９に示す。
【０００３】
図９のシステムは、携帯電話１００と識別信号送信ユニット１０２から構成されており、携帯電話１００には使用制限ユニット１０１が備えられている。識別信号送信ユニット１０２はユーザが常時携帯するものとされている。このシステムでは、携帯電話１００からユーザまでの距離が所定値以上離れた時に、携帯電話１００の使用制限を行う。これは携帯電話の置き忘れや盗難時に、無断使用を防ぐ機能である。
【０００４】
具体的には、識別信号送信ユニット１０２が識別コードを一定の強度で定期的に無線送信する。携帯電話１００中の使用制限ユニット１０１は、その識別コードを受信し認証を行う。認証が成功した場合、使用制限ユニット１０１は、識別コードの受信レベル（電界強度）が所定値より大きいかどうかを判断して、所定値より小さい場合は、携帯電話１００とユーザ（識別信号送信ユニット１０２）が所定の距離以上離れたと判断して、携帯電話１００の使用制限を行う。
【特許文献１】特開平１１−８８４９９号公報
【発明の開示】
【発明が解決しようとする課題】
【０００５】
しかしながら、前記した従来の構成では、以下のような課題があった。
【０００６】
（１）携帯電話１００は、ひとつの識別信号送信ユニット１０２（キー装置）としか通信できず、携帯電話の置き忘れや盗難など、携帯電話が「一人のユーザ」から離れたときの使用制限にしか利用できなかった。
【０００７】
（２）複数の識別信号送信ユニット１０２（キー装置）を利用する場合、それらの登録を簡単に行う方法が無かった。従来は、識別信号送信ユニット１０２（キー装置）のＩＤ情報を、携帯電話のキーボード（テンキー）から入力する方法が多く採用されていたが、この方式では、複数台を登録するのにかなりの手間と時間がかかる。
【課題を解決するための手段】
【０００８】
前記従来の課題を解決するために、本発明の情報端末は、複数のキー装置のＩＤ情報を記憶する通信先ＩＤ記憶部と、前記通信先ＩＤ記憶部に記憶されたＩＤ情報を用いて複数の前記キー装置と無線信号を用いてそれぞれ認証通信を行い、前記認証通信における電界強度が所定値以下の場合、もしくは、前記通信先記憶部に記憶されたＩＤ情報を持つすべてのキー装置と所定時間内に認証通信が成功しなかった場合に、前記キー装置を持つ者が離脱したと判断する離脱検出用認証通信部と、前記離脱検出用認証通信部が離脱の判断をしたときに通知を行うユーザインタフェース部とを備える。
【０００９】
これにより、携帯電話の置き忘れや盗難など、携帯電話が一人のユーザから離れたときの使用制限だけでなく、複数のユーザの中から、少なくともひとり以上が離れたことを検
出できる。
【００１０】
また、２次元コード化したＩＤ情報を読み取るカメラ部や、インターネットを介してＩＤ情報をダウンロードする通信回線通信部を備えることにより、複数のキー装置の登録を容易にできる。
【発明の効果】
【００１１】
本発明の情報端末、離脱検出方法およびプログラムを用いることにより、従来の盗難や置き忘れ時の情報端末の機能制限に加え、以下の効果が生じる。
【００１２】
（１）複数のユーザにキー装置を持たせ、それぞれのキー装置と情報端末の間で定期的な認証通信を行わせることで、複数のユーザの内、ひとりでも集団から離れた時に、情報端末で通知を行わせることができる。
【００１３】
（２）情報端末（携帯電話）のカメラ機能や、インターネットなどへのアクセス機能を利用することにより、キー装置を登録する。これにより、複数のキー装置をより簡単に登録することができる。
【発明を実施するための最良の形態】
【００１４】
第１の発明は、複数のキー装置のＩＤ情報を記憶する通信先ＩＤ記憶部と、前記通信先ＩＤ記憶部に記憶されたＩＤ情報を用いて複数の前記キー装置と無線信号を用いてそれぞれ認証通信を行い、前記認証通信における電界強度が所定値以下の場合、もしくは、前記通信先記憶部に記憶されたＩＤ情報を持つすべてのキー装置と所定時間内に認証通信が成功しなかった場合に、前記キー装置を持つ者が離脱したと判断する離脱検出用認証通信部と、前記離脱検出用認証通信部が離脱の判断をしたときに通知を行うユーザインタフェース部とを備えた情報端末である。これにより、複数のユーザの内、ひとりでも集団から離れた時に、情報端末で通知を行わせることができる。
【００１５】
第２の発明は、第１の発明において、前記情報端末は、２次元コード情報を読み取るカメラ部と、前記カメラ部で読み取った２次元コード情報をエンコードして文字列を取得し、前記文字列を前記キー装置のＩＤ情報として前記通信先ＩＤ記憶部に記憶させる２次元コードデコード部と、を備える。これにより、多数のキー装置を情報端末に簡単に登録可能となる。
【００１６】
第３の発明は、第１の発明において、前記情報端末は、通信回線を介して所定の機器に接続し、その機器にあらかじめ登録されているキー装置のＩＤ情報をダウンロードして、前記通信先ＩＤ記憶部に記憶させる通信回線通信部を備える。これにより、多数のキー装置を情報端末で登録可能であり、登録したＩＤ情報の再利用や修正など管理面での利便性が高まる。
【００１７】
第４の発明は、第１〜第３のいずれかひとつの発明において、前記情報端末は、前記通信先ＩＤ記憶部に記憶されているＩＤ情報の個数に応じて前記認証通信の通信間隔を変更し、その通信間隔を前記キー装置それぞれに送信する通信設定変更部を備える。これにより、キー装置の数が増えた場合でも、無線通信の衝突や競合がなくなり、安定した認証通信が可能になる。
【００１８】
第５の発明は、複数のキー装置のＩＤ情報を記憶する通信先ＩＤ記憶部を備え、前記通信先ＩＤ記憶部に記憶されているＩＤ情報の個数に応じて認証通信の通信間隔を変更し、その通信間隔を前記キー装置それぞれに送信するステップと、前記通信先ＩＤ記憶部に記憶されたＩＤ情報を用いて複数の前記キー装置と無線信号を用いてそれぞれ認証通信を行
い、前記認証通信における電界強度が所定値以下の場合、もしくは、前記通信先記憶部に記憶されたＩＤ情報を持つすべてのキー装置と所定時間内に認証通信が成功しなかった場合に、前記キー装置を持つ者が離脱したと判断するステップと、離脱の判断をしたときに通知を行うステップと、を備えた離脱検出方法である。この方法により、キー装置を持つユーザの集団からの離脱を検出することができる。
【００１９】
第６の発明は、第１〜第４のいずれか１つの発明に記載の情報端末の少なくとも一部をコンピュータに実現させるためのプログラムである。プログラムであるので電気・情報機器、コンピュータ等のハードリソースを協働させて用いて本発明の機能の一部あるいは全部を容易に実現することができる。また、記録媒体に記録したり通信回線を用いてプログラムを配信したりすることでプログラムの配布やインストール作業が簡単にできる。
【００２０】
以下、本発明の実施の形態について、図面を参照しながら説明する。なお、本実施の形態によって本発明が限定されるものではない。
【００２１】
（実施の形態１）
図１は、本発明の実施の形態におけるシステム構成を示した図である。本発明は、大きくわけると情報端末１とキー装置２から構成される。
【００２２】
情報端末１は、携帯電話を想定しているが、スマートフォンやＰＤＡ（Personal Digital Assistant）、携帯用パソコンなどの構成でもよい。キー装置２は、ユーザ毎に一人にひとつずつ所持する。情報端末１は複数のキー装置２と認証通信を行う。
【００２３】
図２に本発明が実現する機能の概要を示す。ここでは、児童の集団登校の例で説明する。
【００２４】
図２（ａ）のように、児童を引率する親や生徒（ユーザＡ）が情報端末１である携帯電話を持ち、集団で登校する児童（ユーザＢ）にキー装置２をひとりにひとつずつ持たせる。情報端末１は、複数のキー装置２と、それぞれ定期的に認証通信を繰り返し、認証通信毎に電界強度を測定する。
【００２５】
図２（ｂ）のように、児童のひとりが集団から抜け出し、ユーザＡから所定の距離以上はなれると、ユーザＡの持つ情報端末１と離れた児童のキー装置２の認証通信時の電界強度が所定値を下回る。この場合、情報端末１はユーザＡに対して通知を行い、子供が集団から離れ、はぐれたことを警告する。これにより、ひとりでも児童が集団から離れたときに、引率者は、即座にその状況を知ることができる。
【００２６】
ここでは、児童の集団登校の例で説明したが、学校などにおいては、各生徒にキー装置２を持たせ、教師が情報端末１（携帯電話）を持つことにより、出欠確認や在室確認が可能であり、生徒の在・不在や教室からの抜け出しを検出できる。
【００２７】
本発明は、このような複数のユーザを対象として、その中の少なくとも一人以上が、その集団から離脱したことを検出する。
【００２８】
次に、図１の情報端末１とキー装置２を構成する各要素について具体的に説明する。
【００２９】
（１）情報端末１は、以下の９個の機能ブロックから構成する。
【００３０】
（１−１）音声通話機能、電子メール機能、電話帳機能、決済機能などの携帯電話の基本機能を有する通話・アプリ部１０。なお、ゲームやインターネットブラウザ機能、通信
によりダウンロードしたアプリケーションを実行する機能などを、通話・アプリ部に含めても良い。
【００３１】
（１−２）特定のキー装置２（１台）と認証通信を行い、認証失敗時、認証通信時の電界強度が所定の値を下回ったとき、もしくは、認証通信に失敗したときに、通話・アプリ部１０の機能を制限する使用制限判定用認証通信部１１。これは、従来例の使用制限ユニット１０１とほぼ同じ機能を有する。
【００３２】
（１−３）キー装置２と無線通信を行う端末側無線通信部１２。端末側無線通信部１２は、情報端末１内の他ブロックから入力された電文を無線信号としてキー装置２へ送信したり、キー装置２からの無線信号を受信して他ブロックへ出力したりするだけの機能を有する。本実施の形態では、特定小電力無線で通信を行う。しかし、微弱電波を使った無線や、無線ＬＡＮなど、他の無線を利用しても良い。
【００３３】
（１−４）キー装置２の筐体表面に印字された２次元コードを読み取るカメラ部１３。キー装置２には、ユニークなＩＤ情報をそれぞれ割り当てる。これは無線通信において、通信相手を一意に特定するためのＩＤである。たとえば、キー装置２の筐体には、このＩＤ情報を２次元コードに変換して印字してある。
【００３４】
（１−５）カメラ部１３で読み取った２次元コードをデコードして文字列に変換する２次元コードデコード部１４。
【００３５】
（１−６）２次元コードデコード部１４で得られた文字列をＩＤ情報として記憶する通信先ＩＤ記憶部１５。
【００３６】
（１ー７）通信先ＩＤ記憶部１５に記憶されたＩＤの数（通信するキー装置２の数）に応じて通信間隔を変更し、その通信間隔を端末側無線通信部１２を用いて、キー装置２へ送信する通信設定変後部１６。
【００３７】
（１−８）通信先ＩＤ記憶部１５に格納されたＩＤ情報を用いて、複数のキー装置２のそれぞれと認証通信を行う離脱検出用認証通信部１７。
【００３８】
（１−９）ユーザに対する表示、音による通知と、ユーザからの入力を受け付けるユーザインタフェース部１８。ユーザインタフェース部１８は、ユーザからの入力を受け付ける押しボタン（キーボードやテンキーを含む）と、ユーザへの表示を行う表示デバイス（液晶ディスプレイ、ＬＥＤなど）、そして音で通知するためのスピーカーとその制御装置を備える。
【００３９】
（２）キー装置２は、次の４つの機能ブロックから構成する。
【００４０】
（２−１）情報端末１と無線による通信を行うためのキー側無線通信部２０。端末側無線通信部１２と同様に、特定小電力無線を利用して通信を行う。
【００４１】
（２−２）キー側無線通信部２０を用いて、情報端末１と認証通信を行うキー側認証通信部２１。
【００４２】
（２−３）情報端末１中の通信設定変更部１６から送信された無線電文をキー側無線通信部２０を介して受信し、受信した電文中の通信設定情報（通信間隔など）を記憶する通信設定記憶部２２。
【００４３】
（２−４）キー装置２をユニークに識別するためのＩＤ情報を記憶するためのキーＩＤ記憶部２３。このＩＤ情報はキー装置２毎にユニークで固有な値であり、変更の必要が無い。したがってキーＩＤ記憶部２３は、ＲＯＭで構成しても良い。なお、このＩＤ情報は、通信先ＩＤ記憶部１５に記憶されるＩＤと同じである。
【００４４】
以上のように構成された本システムの動作例を、図３〜図６にしたがって説明する。
【００４５】
図３は、集団からの離脱検出の事前処理として、情報端末１が通信先情報（キー装置２のＩＤ情報）をカメラ部１３を利用して取得する際の処理を示したフローチャートである。ステップ毎に順に説明を行う。
【００４６】
（ステップＡ１）ユーザは情報端末１のユーザインタフェース部１８を操作して、カメラ部１３を起動し、対象となるキー装置２の筐体に印刷された２次元コードを撮影する。
【００４７】
図４に示すようにキー装置２の筐体表面には、あらかじめＩＤ情報をエンコードした２次元コードを印刷しておく（２次元コードを印刷したシールを貼っても良い）。エンコードするＩＤ情報はキーＩＤ記憶部２３に格納されている情報と同じもので、キー装置２毎に固有でユニークな値とする。
【００４８】
なお、キー装置２に印刷するコードは２次元コードでなく、バーコードなど他のコードでも良い。また、場合によっては、ＩＤ情報を暗号化し、それを２次元コードへエンコードしたものを、キー装置２に印刷する方式でも良い。この場合、情報端末１の２次元コードデコード部１４は、復号機能を有する必要がある。
【００４９】
（ステップＡ２）２次元コードデコード部１４は、カメラ部１３で読み込んだ二次元コード画像をデコードして文字列を取り出す。取り出した文字列を、キー装置２のＩＤ情報として通信先ＩＤ記憶部１５に追加記憶させる。
【００５０】
（ステップＡ３）ユーザは、集団からの離脱検出を行う対象ユーザ分だけ、キー装置２の二次元コードを読み取ったかどうかを判断して、対象人数に達していなければステップＡ１にもどり、ユーザインタフェース部１８を操作して、別のキー装置２の２次元コードを読み取る作業を行う。対象人数分に達していれば処理を完了する。
【００５１】
以上のステップＡ１〜Ａ３の操作により、通信先ＩＤ記憶部１５には、離脱検出の対象となるキー装置２のＩＤ情報が、すべて記憶されていることになる。
【００５２】
図５は、情報端末１およびキー装置２により、集団からの離脱検出を行うときの動作を示したフローチャートである。ステップ毎に説明を行う。なお、この動作を開始する前に、図３に示した通信先取得が完了して、キー装置２のＩＤ取得ができているものとする。
【００５３】
（ステップＢ１）ユーザは情報端末１のユーザインタフェース部１８を操作して、離脱検出処理の開始を指示する。このとき、情報端末１が、使用制限判定用認証通信部１１により、特定のキー装置と認証通信をしていた場合は、ユーザインタフェース部１８は、ユーザからの離脱検出開始指示を受け付けた時点で、使用制限判定用認証通信部１１の処理を停止させ、離脱検出の処理へ移行する。
【００５４】
（ステップＢ２）通信設定変更部１６は、通信先ＩＤ記憶部１５に記憶されたＩＤ情報の数に応じて、通信間隔を計算する。
【００５５】
離脱検出で行う認証通信では、キー装置２から情報端末１へ定期的に認証要求を送信す
る。この通信間隔が一定の場合、キー装置２の数が多くなると、無線通信のタイミングが重なり、衝突や競合が発生する可能性が高くなる。結果的に、キー装置２から無線電文の送信ができない、あるいは、情報端末１で無線の受信に失敗するというケースが多発する。したがって、キー装置２の数に応じて、この通信間隔を変更する必要がある。
【００５６】
本実施の形態では、この通信間隔をキー装置の数に比例させる。具体的には、キー装置が１個のときの時間間隔をＴ１とし、通信先ＩＤ記憶部１５に格納されているＩＤ情報の数をＮとするとき、この通信間隔をＮ×Ｔ１＋Ｒとする。Ｒは、ゼロ以上で所定値以下の値をとる正規乱数である。
【００５７】
乱数Ｒを加えるのは、全く同じタイミングで認証通信を行うキー装置２が複数存在していた場合に、それらの通信が常に重なるのを排除するためである。
【００５８】
通信設定変更部１６は、この通信間隔のベースとなるＮ×Ｔ１の値を端末側無線通信部１２を介して、キー装置２へそれぞれ送信する。この値はキー装置２中の通信設定記憶部２２で受信・記憶する。キー側認証通信部２１は、通信設定記憶部２２に格納された時間間隔に乱数Ｒを加えて、認証要求通信のタイミングを計算する。
【００５９】
なお、通信設定変更部１６は、Ｎ×Ｔ１ではなく、Ｎ×Ｔ１＋Ｒまで計算した値をキー装置２へ送信しても良いし、逆に、ＩＤ情報の数Ｎだけを送信しても良い。Ｎだけの送信の場合は、キー側認証通信部２１で通信間隔の計算が必要となる。
【００６０】
通信設定変更部１６による設定通信の手順を図６に示す。図６では、ユーザインタフェース部１６による離脱検出への切り替えの後、情報端末１からキー装置２に対して順に設定変更通信を行うことを示している。
【００６１】
情報端末１中の通信設定変更部１６は、端末側無線通信部１２を介して、（１）通信先ＩＤ記憶部１５に記憶されたＩＤ情報、（２）離脱検出の開始情報と、（３）上述した認証通信の時間間隔を、無線電文としてキー装置２に送信する。
【００６２】
キー装置２中のキー側無線通信部２０は、この無線電文を受信する。キー装置２中の通信設定記憶部２２は、自分のＩＤ情報をキーＩＤ記憶部２３から取得し、キー側無線通信部２０で受信した無線電文中のＩＤ情報が自分のＩＤ情報かどうかを比較し、一致すれば自分宛ての電文と判断して、送信された電文を最後まで受信し、受信完了後に、情報端末１に対して応答（ＡＣＫ）を返す。この後、認証通信の時間間隔を、受信した電文に指定された時間間隔に変更し、記憶する。
【００６３】
また、キー装置２は、離脱検出の開始情報も受信するので、キー装置２が使用制限判定用認証通信部１１と定期的な通信を行い、情報端末１の使用制限のための通信を行っている場合、通信設定記憶部２２は、その通信を停止させ、設定変更通信が完了してから、所定時間後に離脱検出のための認証通信の処理手順に切り替える。
【００６４】
なお、この所定時間（図６中のＴ０）は、認証通信の通信間隔と比べて、十分大きな値に設定しておく必要がある。これは、キー装置２が通信設定変更の電文を受信する時に、他の通信を行っている可能性があり、設定変更通信を再送しなければならない可能性があるからである。したがって、設定変更通信から認証通信へ移行するための時間間隔は十分大きな値に設定する必要がある。
【００６５】
（ステップＢ３）通信設定変更部１６は、ステップＢ２で行った設定変更通信で、再送を所定回数行っても応答が無いキー装置２を検出する。キー装置２から応答が無い状態と
しては、キー装置２が情報端末１から遠いところにあり、無線信号が届かない場合、キー装置２が故障している場合など、いろいろなケースが考えられる。しかし、いずれの場合も、離脱検出ができる状態では無い。
【００６６】
（ステップＢ４）通信設定変更部１６は、ステップＢ３で応答の無いキー装置２が検出されたかどうかを判断し、検出された場合はステップＢ５へ進み、検出されない正常系の場合は、ステップＢ６へ進む。
【００６７】
（ステップＢ５）ステップＢ３で、応答の無いキー装置２が検出された場合なので、通信設定変更部１６は、ユーザインタフェース部１８を使って、ユーザにエラー通知を行う。
【００６８】
具体的には、ユーザインタフェース部１８のディスプレイ機能にエラーメッセージ（「通信できないキー装置があります。キー装置を確認してください。ID=xxxxxxxxxxxx」）を表示させたり、警告音を発生させたりする。
【００６９】
この後、離脱検出処理を終了させる。情報端末１のユーザは、キー装置２の確認や、ＩＤ登録の削除や再登録を行う必要がある。
【００７０】
（ステップＢ６）通信先ＩＤ記憶部１５に記憶されたＩＤ情報に対応する全てのキー装置２について、通信設定変更部１６により設定変更通信が正常終了しているので、次は、離脱検出のための認証通信へ移行する。ステップＢ２で説明したように、キー装置２は設定変更通信の成功後、所定時間経過してから認証通信を開始する。情報端末１中の離脱検出用認証通信部１７は、キー装置２から送信される認証通信のため、無線電文の受信待ち受けを行う。
【００７１】
認証通信のための無線電文を受信した場合は、受信時の電界強度の測定と、認証を行う。キー装置２中のキー側認証通信部２１から送信される認証通信のための無線電文中には、キーＩＤ記憶部２３から取得したキー装置２のＩＤ情報が含まれている。情報端末１の離脱検出用認証通信部１７は、端末側無線通信部１２を介して、この無線電文を受信し、電文に含まれるＩＤ情報を抽出する。
【００７２】
その後、離脱検出用認証通信部１７は通信先ＩＤ記憶部１５を検索して、抽出したＩＤ情報が通信先ＩＤ記憶部１５中に記憶されているＩＤ情報のどれかと一致するかどうかを調べる。受信したＩＤ情報と同じＩＤが通信先ＩＤ記憶部１５に存在したときに認証は成功したものと判断し、無ければ失敗と判断する。
【００７３】
なお、キー側認証通信部２１は、ＩＤ情報の送信に際して、ＩＤ情報を暗号化して情報端末１に送信しても良い。この場合、離脱検出用認証通信部１７は、受信した電文中の暗号化されたＩＤ情報に復号処理を施しＩＤ情報を取得することになる。
【００７４】
（ステップＢ７）ステップＢ６で実施した認証処理の結果に応じて処理を分岐させる。認証が失敗した場合は、登録されていない別のキー装置２からの通信と考えられるので、離脱検出用認証通信部１７は、この電文の受信を中止して、直ちにステップＢ６に戻り、次の無線受信の待ち受けに移行する。認証が成功した場合はステップＢ８に進む。
【００７５】
（ステップＢ８）認証が成功した場合、離脱検出用認証通信部１７は、対象のキー装置２へ応答（ＡＣＫ）を返信する。キー装置２中のキー側認証通信部２１は、この応答の受信後からＮ×Ｔ１＋Ｒ時間経過後に、次の認証通信を行う。
【００７６】
（ステップＢ９）離脱検出用認証通信部１７は、ステップＢ８で計測した電解強度を所定値と比較して、その結果により処理を分岐させる。所定値より大きい場合は、ステップＢ１０に進み、そうでなければステップＢ１１に進む。
【００７７】
電界強度は、情報端末１とキー装置２の距離に依存して変化する。距離が近ければ電界強度は大きく、逆に距離が遠ければ電界強度は小さくなる。ここでは、電界強度を所定値（閾値）と比較することで、キー装置２を持つユーザが情報端末１から所定距離内にいるかどうかを判断している。
【００７８】
なお、この比較のための閾値を変えることで、どのくらい離れたら通知するかを変更することができるので、閾値をユーザインタフェース部１８を用いて、ユーザに変更させても良い。
【００７９】
（ステップＢ１０）離脱検出用認証通信部１７は、通信先ＩＤ記憶部１５にＩＤが記憶されている全てのキー装置２から、所定時間内に認証通信があったかどうかを判断する。ここでの所定時間は、認証通信の時間間隔（Ｎ×Ｔ１＋Ｒ）の最大値にしても良いし、余裕をみて、例えば２×（Ｎ×Ｔ１＋Ｒ）などの時間にしても良い。この処理により、通信の無くなったキー装置２を検出することができる。
【００８０】
また、ノイズや障害物などで、たまたまキー装置２からの認証通信を情報端末１が受信できないことも考えられる。この場合は、上述したように、判定を行う時間間隔を長めに設定することで回避できる。
【００８１】
全てのキー装置２からの認証通信を所定時間内に受信した場合は、キー装置２を持つユーザ全員が所定範囲から離れていないので、離脱検出用認証通信部１７は、ステップＢ６に戻り、次の認証通信のための受信待ち受けに移行する。
【００８２】
（ステップＢ１１）キー装置２から受信した電文の電界強度が所定値より小さい場合、所定時間内に全てのキー装置２からの認証通信を受信できない場合、これらは、キー装置２を持つユーザが、情報端末１を持つユーザから離れ、集団から離脱したときに発生する。このとき、離脱検出用認証通信部１７は、ユーザインタフェース部１８を制御して、情報端末１のディスプレイにメッセージ「ユーザが通信範囲から外に出ました」などを表示するとともに、通知音（警報音）を鳴らす。この処理の終了後はステップＢ６に戻り、同様の処理を繰り返す。
【００８３】
以上のようなステップＢ１〜Ｂ１１の動作により、図２のように、キー装置２を持つユーザが、情報端末１から離れ、集団から離脱したことを検出できる。また、対象ユーザが増え、情報端末１と通信するキー装置２が増えた場合でも、２次元コードを用いる方式により簡単にキー装置２のＩＤ情報を情報端末１へ登録できる。また、キー装置２の数に応じて、認証通信の時間間隔を変更するため、キー装置２が増えても通信が衝突・競合することなく、正常に行える。
【００８４】
なお、上記した実施の形態では、カメラ部１３で２次元コードを読み取ることによりキー装置２のＩＤ情報を取得したが、情報端末１からインターネット経由でサーバー４０へアクセスして、ＩＤ情報を取得しても良い。この場合の構成を図７に示す。
【００８５】
図７では、図１のカメラ部１３および２次元コードデコード部１４の代わりに、通信回線通信部３０を備える（他の構成は、図１と全く同じである）。通信回線通信部３０はＷＥＢブラウザ機能を持ち、情報端末１の通信機能を利用してインターネットなどの通信回線上のサーバー４０へアクセスする。キー装置２のＩＤ情報は、ＷＥＢブラウザ機能を持
つパソコン４１からアクセスし、サーバー４０へ登録する。この場合の動作内容の概略を図８に示す。
【００８６】
図８の画面例Ａは、パソコン４１のＷＥＢブラウザを利用してＩＤ情報を登録するときの画面例である。
【００８７】
パソコン４１から、キー装置２を持つ人の名前と、そのキー装置２のＩＤ情報を登録していく。この図の場合、３人：山田太郎、松下次郎、山田花子の名前と、その３人が持つキー装置２のＩＤを入力している。なお、図では６個までしか登録できないようになっているが、もっと多くても良い。この方式では、ＩＤ情報をパソコンから一括登録できるので、比較的簡便であり、一覧性や管理の面からも利便性が高い。
【００８８】
図８の画面例Ｂは、情報端末１中の通信回線通信部３０を用いて、サーバー４０中のＩＤ情報を取得する時の画面例である。通信回線通信部３０もＷＥＢブラウザであり、パソコン４１と同様にサーバー４０にアクセスを行う（同一サーバー４０へアクセスするが、パソコン４１からアクセスするときとはＵＲＬが異なる）。
【００８９】
通信回線通信部３０では、パソコン４１からサーバー４０に事前に登録されたユーザの氏名が一覧表示される。ユーザは、どの人を離脱検出の対象にするかを選択し、ダウンロードボタンを押すことで、選択した人の持つキー装置２のＩＤ情報を取得する。ＩＤ情報は選択した人の分だけ、まとめられてファイル形式でダウンロードされ、通信回線通信部３０は、その情報をそのまま通信先ＩＤ記憶部１５に記憶させる。
【００９０】
これにより、簡単な操作でキー装置２のＩＤ情報を通信先ＩＤ記憶部１５に記憶させることができる。なお、画面例Ａおよび画面例Ｂの生成、ＩＤ情報の登録、ダウンロードファイルの生成は、すべてサーバー４０内のプログラム（ＣＧＩ、サーブレットなど）で行う。
【００９１】
なお、本実施の形態ではサーバーを一例に説明したが、本発明はサーバーに限らず通信回線上にある通信可能な機器であればよい。
【００９２】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００９３】
以上のように、本発明は、携帯電話などの情報端末を用いてユーザの集団からの離脱を検出できる。これは、実施の形態で説明した集団登校時における児童のはぐれ検出だけでなく、教室での出欠確認や在室確認などにも適用できる。
【図面の簡単な説明】
【００９４】
【図１】本発明の実施の形態１のシステム構成を示す図
【図２】本発明の実施の形態１の機能を説明する図
【図３】本発明の実施の形態１における通信先取得処理のフローチャート
【図４】本発明の実施の形態１における２次元コードの説明図
【図５】本発明の実施の形態１における離脱検出処理のフローチャート
【図６】本発明の実施の形態１における通信手順を説明する図
【図７】本発明の実施の形態１でインターネットからＩＤを取得する場合の構成図
【図８】本発明の実施の形態１でインターネットからＩＤを取得する方式の説明図
【図９】従来の構成を示す図
【符号の説明】
【００９５】
１  情報端末
２  キー装置
１０  通話・アプリ部
１１  使用制限判定用認証通信部
１２  端末側無線通信部
１３  カメラ部
１４  ２次元コードデコード部
１５  通信先ＩＤ記憶部
１６  通信設定変更部
１７  離脱検出用認証通信部
１８  ユーザインタフェース部
２０  キー側無線通信部
２１  キー側認証通信部
２２  通信設定記憶部
２３  キーＩＤ記憶部
３０  通信回線通信部
４０  サーバー（機器）
４１  パソコン
【図１】
2008193475.tif 000003
【図２】
2008193475.tif 000004
【図３】
2008193475.tif 000005
【図４】
2008193475.tif 000006
【図５】
2008193475.tif 000007
【図６】
2008193475.tif 000008
【図７】
2008193475.tif 000009
【図８】
2008193475.tif 000010
【図９】
2008193475.tif 000011